【手続補正書】
【提出日】平成28年11月10日(2016.11.10)
【手続補正１】
【補正対象書類名】特許請求の範囲
【補正対象項目名】全文
【補正方法】変更
【補正の内容】
【特許請求の範囲】
【請求項１】
セキュアユーザプレーンロケーション（ＳＵＰＬ）対応端末（ＳＥＴ）でアプリケーションにロケーションサービスを提供するための方法であって、
ＳＵＰＬ構成サーバ（ＳＵＰＬ  ＣＳ）により、第１の段階で前記ＳＥＴ内の複数のＳＵＰＬロケーションプラットフォーム（ＳＬＰ）を構成することと、ここにおいて、前記第１の段階における前記複数のＳＬＰの構成は、いずれのアプリケーション特有のＳＰＬ構成からも独立している、
前記ＳＵＰＬ  ＣＳにより、第２の段階で前記アプリケーション用の前記ＳＥＴ内の情報を構成することと、ここにおいて、前記アプリケーション用の構成情報は、前記アプリケーションに特有であり、前記アプリケーションを特定のホームＳＬＰ（Ｈ−ＳＬＰ）に関連付けるために、前記第１の段階で構成された前記特定のＨ−ＳＬＰの識別情報を含む、
を備える、方法。
【請求項２】
前記第１の段階で構成することは、前記複数のＳＬＰに対応するＳＬＰ情報を前記ＳＥＴに送信することを含み、前記第２の段階で構成することは、前記特定のＨ−ＳＬＰに対応するＨ−ＳＬＰ情報を前記ＳＥＴに送信することを含み、好ましくは、前記ＳＬＰ情報は、前記複数のＳＬＰに関連付けられたアドレスを含み、前記Ｈ−ＳＬＰ情報は、前記特定のＨ−ＳＬＰに関連付けられたアドレスを含む、請求項１に記載の方法。
【請求項３】
前記ＳＵＰＬ  ＣＳは、
前記第１の段階の一部としての少なくとも１つのＨ−ＳＬＰ、
前記第１の段階の一部としての少なくとも１つの構成されたＨ−ＳＬＰ用の少なくとも１つの発見ＳＬＰ（Ｄ−ＳＬＰ）、または、
前記第１の段階の一部としての少なくとも１つの構成されたＨ−ＳＬＰ用の少なくとも１つの緊急ＳＬＰ（Ｅ−ＳＬＰ）
のうちの少なくとも１つを構成する、請求項１に記載の方法。
【請求項４】
前記アプリケーションは、ただ１つの構成されたＨ−ＳＬＰ、ならびに前記ただ１つの構成されたＨ−ＳＬＰによって認可されるか、または前記ただ１つの構成されたＨ−ＳＬＰ用に構成された任意のＤ−ＳＬＰおよびＥ−ＳＬＰへのロケーションアクセスを許可され、好ましくは、
前記アプリケーションは、前記第２の段階の一部として、Ｈ−ＳＬＰで構成されず、
前記アプリケーションは、前記第１の段階で構成されたデフォルトのＨ−ＳＬＰ、ならびに前記構成されたデフォルトのＨ−ＳＬＰによって認可されるか、または前記構成されたデフォルトのＨ−ＳＬＰ用に構成された任意のＤ−ＳＬＰおよびＥ−ＳＬＰへのロケーションアクセスを許可される、
請求項１に記載の方法。
【請求項５】
前記ＳＵＰＬ  ＣＳが、前記第２の段階の一部として、前記アプリケーションの認可をサポートする、請求項１に記載の方法。
【請求項６】
前記認可の一部として前記ＳＥＴに提供された情報は、ＳＵＰＬ２．０のアプリケーションＩＤとＨ−ＳＬＰのアドレスとを含むことができ、前記ＳＥＴに提供された前記情報は、その後に前記アプリケーションの再認可が必要とされる持続時間を、好ましくはさらに含む、請求項５に記載の方法。
【請求項７】
前記アプリケーションは、前記認可の一部として前記ＳＵＰＬ  ＣＳによって認証される、請求項５に記載の方法。
【請求項８】
セキュアユーザプレーンロケーション（ＳＵＰＬ）対応端末（ＳＥＴ）でアプリケーションにロケーションサービスを提供するための装置であって、
第１の段階で前記ＳＥＴ内の複数のＳＵＰＬロケーションプラットフォーム（ＳＬＰ）を構成するための手段と、ここにおいて、前記第１の段階における前記複数のＳＬＰの構成は、いずれのアプリケーション特有のＳＰＬ構成からも独立している、
第２の段階で前記アプリケーション用の前記ＳＥＴ内の情報を構成するための手段と、ここにおいて、前記アプリケーション用の構成情報は、前記アプリケーションに特有であり、前記アプリケーションを特定のホームＳＬＰ（Ｈ−ＳＬＰ）に関連付けるために、前記第１の段階で構成された前記特定のＨ−ＳＬＰの識別情報を含む、
を備える、装置。
【請求項９】
セキュアユーザプレーンロケーション（ＳＵＰＬ）対応端末（ＳＥＴ）に関連付けられたアプリケーション用のロケーションサービスを取得する前記ＳＥＴの方法であって、
ロケーションサービス要求を受信することと、
前記アプリケーションがホームＳＵＰＬロケーションプラットフォーム（Ｈ−ＳＬＰ）に関連付けられているかどうかを決定することと、
前記アプリケーションが前記Ｈ−ＳＬＰに関連付けられていると決定された場合、前記Ｈ−ＳＬＰを使用して、または前記Ｈ−ＳＬＰに関連付けられた１つもしくは複数のＳＬＰからのＳＬＰを使用して、前記ロケーションサービス要求に基づいてロケーションサービスを取得することと
を備える、方法。
【請求項１０】
前記アプリケーションが前記Ｈ−ＳＬＰに関連付けられていないと決定された場合、
前記アプリケーションは、デフォルトのＨ−ＳＬＰへのアクセスを許可されるかどうかを決定すること
をさらに備える、請求項９に記載の方法。
【請求項１１】
前記アプリケーションが前記デフォルトのＨ−ＳＬＰへのアクセスを許可されると決定された場合、前記デフォルトのＨ−ＳＬＰを使用して、前記ロケーションサービス要求に基づいてロケーションサービスを取得すること、または、
前記アプリケーションが前記デフォルトのＨ−ＳＬＰを使用することを許可されないと決定された場合、前記ロケーションサービス要求を拒絶すること
をさらに備える、請求項１０に記載の方法。
【請求項１２】
前記ロケーションサービス要求が前記アプリケーションからの最初の要求であるかどうかを決定することと、
前記ロケーションサービス要求が前記アプリケーションからの前記最初の要求であると決定された場合、
ＳＵＰＬ構成サーバ（ＣＳ）にサービス要求を送信することと、ここにおいて、前記サービス要求は前記アプリケーションに関連する情報を含む、
前記アプリケーションがＨ−ＳＬＰに関連付けられていると前記ＳＵＰＬ  ＣＳによって決定された場合、前記ＳＵＰＬ  ＣＳから前記Ｈ−ＳＬＰのアドレスを受信することと、
前記アプリケーションに関連付けられた前記Ｈ−ＳＬＰの前記受信されたアドレスを記憶することと
をさらに備え、前記方法は、好ましくは、
前記Ｈ−ＳＬＰの前記アドレスに関連付けられた持続時間を受信すること
をさらに備える、請求項９に記載の方法。
【請求項１３】
前記Ｈ−ＳＬＰに関連付けられた前記１つまたは複数のＳＬＰが、前記アプリケーションからの前記ロケーションサービス要求に応答するために、前記Ｈ−ＳＬＰによって認可された、１つもしくは複数の発見ＳＵＰＬロケーションプラットフォーム（Ｄ−ＳＬＰ）および／または１つもしくは複数の緊急ＳＵＰＬロケーションプラットフォーム（Ｅ−ＳＬＰ）を備えるか、または、
前記アプリケーションからの前記ロケーションサービス要求に応答するために、ＳＵＰＬ  ＣＳによって構成された、１つもしくは複数のＤ−ＳＬＰおよび／または１つもしくは複数のＥ−ＳＬＰを備える、請求項９に記載の方法。
【請求項１４】
実行されたとき、請求項１〜７のいずれか一項に記載のステップを、セキュアユーザプレーンロケーション（ＳＵＰＬ）構成サーバ（ＳＵＰＬ  ＣＳ）に含まれる１つまたは複数のコンピューティングデバイスに行わせる、ＳＵＰＬ対応端末（ＳＥＴ）でアプリケーションにロケーションサービスを提供するためのコンピュータ実行可能命令、または、実行されたとき、請求項９〜１３のいずれか一項に記載のステップを１つまたは複数のコンピューティングデバイスに行わせる、アプリケーション用のロケーションサービスを取得するためのコンピュータ実行可能命令、のいずれかを記憶する１つまたは複数のコンピュータ可読媒体。
【請求項１５】
アプリケーション用のロケーションサービスを取得するための装置であって、
ロケーションサービス要求を受信するための手段と、
前記アプリケーションがホームＳＵＰＬロケーションプラットフォーム（Ｈ−ＳＬＰ）に関連付けられているかどうかを決定するための手段と、
前記アプリケーションが前記Ｈ−ＳＬＰに関連付けられていると決定された場合、前記Ｈ−ＳＬＰを使用して、または前記Ｈ−ＳＬＰに関連付けられた１つもしくは複数のＳＬＰからのＳＬＰを使用して、前記ロケーションサービス要求に基づいてロケーションサービスを取得するための手段と
を備える、装置。